【事件の表示】
　特願２００６−　７２７２１「見出しカードおよびカルテフォルダー」拒絶査定不服審判事件〔平成１９年　９月２７日出願公開、特開２００７−２４５５６３〕について、次のとおり審決する。
【結　論】
　本件審判の請求は、成り立たない。
【理　由】
第１　手続の経緯
　本願は、平成１８年３月１６日の出願であって、平成２２年６月１１日付けで手続補正がなされ、同年７月９日付けで拒絶査定がなされ、これに対して、同年１０月１３日付けで拒絶査定不服審判の請求がなされたものである。
　
第２　本願発明
　本願の請求項１ないし７に係る発明は、平成２２年６月１１日付けの手続補正により補正された明細書、特許請求の範囲及び図面の記載からみて、特許請求の範囲の請求項１ないし７にそれぞれ記載された事項によって特定されるものと認められるところ、請求項１に係る発明（以下「本願発明」という。）は、次のとおりのものである。
　
「カルテ等が収納されるフォルダーに装着されカルテ等の検索に必要な文字が印刷されてなる見出しカードであって、
略矩形で縦長の基材の一方の表面に、長さ方向に沿って４段以上の文字表示領域を有し、少なくとも４つの各文字表示領域には、該文字表示領域の幅方向両端部の少なくとも一方にカルテ等の検索に必要な文字が印刷され、また該文字表示領域に印字された文字の情報に対応した着色部が印刷されてなり、かつ
基材が、インクジェットプリンター用合成紙であり、文字および着色部がインクジェットプリントにより形成されてなる見出しカード。」 
　
第３　引用刊行物
　原査定の拒絶の理由に引用された、本願の出願前に頒布された刊行物である特開２００４−１７４０５号公報（以下「引用例」という。）には、次の事項が図とともに記載されている（下線は審決で付した。）。
　
１　「【０００１】
【発明の属する技術分野】
本発明は見出しカードに係り、特に、
病院等の医療機関における患者のカルテを保管するフォルダー
に利用する
見出しカード
　
２　「【０００２】
【従来の技術】
従来より、医療機関においては、患者毎に準備されたフォルダーを利用してカルテを保管するシステムが採用されている。このシステムによるフォルダーは、受付窓口の近傍に設置された収納棚に立て掛けた姿勢で収納することが通常となるため、
カルテを必要とするときの検索を容易なものとするため
【０００３】
具体的には、図４に示されるように、フォルダー５０を形成する表紙５１の外縁部分より外側に突出する透明なポケット５２を設けておき、このポケット５２内に、患者の診察券に付された番号と同一のカルテ番号を表示した見出しカードＣを収納して外部から認識される。
【０００４】前記カードＣの図中最下位及び直上の下二桁の表示領域６０には、予め数字が印刷されたラベルＬをラベルシートＬＳから剥離して貼り付けるものとなっている。例えば、第１番目の患者に対応してカルテ番号を「００」としたときには、前記ラベルシートＬＳから横方向に「００」と印刷されている二枚のラベルＬを剥離し、当該ラベルＬを中間で二つ折りしながらシートＳの下二桁表示領域６０の表裏各面に貼付することとなる。ここで、ラベルシートＬＳにおける各ラベルＬには、数字毎に特定されて相互に異なる背景色が付されている。ラベルＬが貼り付けられた見出しカードＣは、フォルダー５０のポケット５２に収納され、下二桁の色が共通する番号を持つ複数のフォルダー５０を一単位として、所定の収納棚に収納することにより、下二桁の表示領域において、色の共通性を有しない他のフォルダーの混在を排除できるようになっている。
【０００５】
【発明が解決しようとする課題】
しかしながら、従来の見出しカードＣは、ラベルシートＬＳからラベルＬを剥離して貼り付けるものであるため、見出しカードＣの領域内に綺麗に貼り付けることが困難になるという不都合がある。しかも、見出しカードＣのラベルＬを貼付した領域以外の表示領域には、表裏各面に文字を記入するものであるため、表面と裏面に記入された文字の一致が取れない人為的ミスを生ずるリスクがあり、近時問題となっている患者取り違え事故を誘発しかねない。
【０００６】
しかも、ラベルＬを二つ折りして貼り付けるものであるため、貼り付け精度が悪い場合にはポケット５２に収納するときに、ラベルＬの折り曲げ端部がポケットの開口縁に引っ掛かってしまう場合もある。加えて、従来方式では、文字毎にラベルシートＬＳが必要となって管理が煩雑になる他、コスト的にも負担を伴う不都合がある。
【０００７】
【発明の目的】
本発明は、このような不都合に着目して案出されたものであり、その目的は、ラベルを用いた見出しの色分けの必要性を一掃し、見出しカードが適用されるフォルダー等の検索ミスや、その保管位置の誤り等を生ずることのない見出しカードを提供することにある。
【０００８】
また、本発明は、見出しカードの表裏各面を見出し面として使用する場合であっても、各面における上位桁に文字を記入する場合の当該文字の一致関係を確実に保つことのできる見出しカードを提供することにある。」
　
３　「【００１３】
【実施例】
以下、本発明の実施例を図面を参照しながら説明する。
【００１４】
図１には、本実施例に係る見出しカードが、
カルテ保管用のフォルダー
フォルダー１０は
ポケット１３
を備え
ポケット１３には、患者毎に割り当てられるカルテ番号を示す見出しカードＣが挿入される
【００１５】
前記
見出しカードＣは
シートＳ１を用いて構成され
シートＳ１は、罫線１９で区分された上下方向四桁の表示領域２０と、この表示領域２０の上部に位置する西暦表示領域２１とからなる
表示領域２０の下二桁を印刷領域２０Ａとして
左右二列に印刷されており
数字毎に色違いとなるインキを背景色として印刷領域２０Ａに印刷が施されている
【００１６】
前記印刷領域２０Ａを除く残りの表示領域２０、すなわち、印刷領域２０Ａを下二桁としたときの上位桁となる下三桁、下四桁に相当する表示領域２０は空欄とされて原紙の地色
のままとなっている
【００１７】
見出しカードＣを構成する
シートＳ１は
左右方向幅の略中央部に上下方向に延びる折り曲げ部２５が
筋状に設けられており、これにより、折り曲げ部２５を挟んで前記表示領域２０，２１が左右対称配置の関係となる
　
４　「【００１８】
次に、本実施例に係る見出しカードＣの利用方法について、図３をも参照しながら説明する。
【００１９】
ここでは、第１番目の患者に対して、印刷領域２０Ａに「００」の番号を付するものとし、以後追い番で患者にカルテ番号を付するものとする。順次付されるカルテ番号が「９９」までは、帯状シートＳから切り離したシートＳ１に、受付年度の西暦末尾二桁の数字を手書きにて記入すればよい。この記入は、前述した折り曲げ部２５を折り曲げることなく、見開き状態で行われ、左右の表示内容の一致関係を確認しながら行うことができる。この後、折り曲げ部２５にてシートＳ１を二つ折りして見出しカードＣを完成し、フォルダー１０のポケット１３に挿入すればよい。
【００２０】
このような作業を受付患者順に行って、例えば、患者数が１０１人以上となるときは、下三桁の表示領域２０に「１」以上の数字を手書き又はスタンプにて記入することとなる。ここで、説明の便宜上、図３に示されるように、受付患者数が５９９名に達したと仮定すると、下二桁表示領域２０に「００」を有している見出しカードＣを持つフォルダー群Ｆ１は、「００」，「１００」，「２００」，「３００」，「４００」，「５００」の六つとなる。これらは、印刷領域領域２０Ａが同色（例えば、ベージュ）で統一された状態で認識することができる。従って、この六つの中に異なる色の見出しカードＣを収納したフォルダー１０が入り込むようなことがあれば、視覚にて直ちに誤入であることを認識できる。同様に、印刷領域領域２０Ａが「０１」で表された見出しカードＣを持つフォルダー群Ｆ２や、印刷領域２０Ａが「０９９」で表された見出しカードＣを持つフォルダー群Ｆ３も共通化された色を表出することとなる。
【００２１】
従って、再診患者が受付にて診察券を提出したときに、当該患者のカルテ番号が、例えば、「３００」であれば、下二桁の表示が「００」となって一単位にまとめられたフォルダー群Ｆ１から探し出すだけとなる。本例では、五冊のフォルダーの中の一つを取り出すだけでよいため、その取り出し作業を簡易且つ迅速に行うことができる。
【００２２】
また、フォルダー１０を元の収納位置に戻すときは、同様に、印刷領域２０Ａの色が共通しているフォルダー１０のまとまりを見つけ出し、当該フォルダー１０の中に戻せばよいことになる。この作業は、色の共通性を認識して行うものであるから色違いであれば、直ちに誤入であることを作業者が認識できるので、収納位置の正確性を保つことができる。ここで、何らかの理由によって、誤った箇所にフォルダー１０が収納されたと仮定した場合、本来の収納位置に目的とするフォルダーが存在しないことになる。しかしながら、この場合でも、収納棚全体を見渡し、色違いのフォルダーが混入している箇所を探せば、当該目的とするフォルダーの存在を容易に特定することができる。
【００２３】
従って、このような実施例によれば、
見出しカードＣの印刷領域２０Ａが色によって特定されて数字が印刷されているため、ラベル貼り付け作業を全く必要とすることがなく、下二桁までの扱いに際しては、人為的な作業ミスを完全に排除できる
　
５　「【００２４】
なお、前記実施例では、下二桁を印刷領域２０Ａとして色を印刷するものとしたが、下一桁を印刷領域２０Ａとして色を印刷したものであってもよい。但し、下一桁のみの印刷とした場合には、受付患者数が増大したときに、同様の色を持つ一単位のフォルダー数が多くなりすぎる傾向となるため、実施する上では、下二桁を印刷領域２０Ａとして色を印刷することが好ましい。
【００２５】
また、前記実施例では、文字として数字を用いた場合を示したが、数字以外の文字を併用してもよい。例えば、下四桁目の表示領域には、診療科目等を示す文字を記入すること等が考えられる。更に、表示領域の桁数も限定されるものではなく、本システムの導入対象となる病院の規模に応じて増加、減少させることができる。
【００２６】
更に、前記実施例では、
帯状シートＳの片面に印刷した
　
６　シートの正面図である図２から、
シートＳ１は縦長の長方形状である
　
７　上記１ないし６から、引用例には、次の発明（以下「引用発明」という。）が記載されていると認められる。
　
「病院等の医療機関における患者のカルテを保管するフォルダーに備えられたポケットに挿入され、患者毎に割り当てられるカルテ番号を示すことで、カルテを必要とするときの検索を容易なものとする見出しカードであって、
　前記見出しカードは、縦長の長方形状であるシートを用いて構成され、該シートの片面は、罫線で区分された上下方向四桁の表示領域２０と、この表示領域の上部に位置する西暦表示領域２１とからなり、
　前記シートは、左右方向幅の略中央部に上下方向に延びる折り曲げ部が筋状に設けられており、これにより、折り曲げ部を挟んで前記表示領域２０，２１が左右対称配置の関係となっており、
　前記表示領域２０の下二桁を印刷領域２０Ａとして、数字毎に色違いとなるインキを背景色として該数字が左右二列に印刷されており、
　前記印刷領域２０Ａを除く残りの表示領域２０、すなわち、印刷領域２０Ａを下二桁としたときの上位桁となる下三桁、下四桁に相当する表示領域２０は、空欄とされて原紙の地色のままとなっており、
　前記印刷領域２０Ａが色によって特定されて数字が印刷されているため、ラベル貼り付け作業を全く必要とすることがなく、下二桁までの扱いに際しては、人為的な作業ミスを完全に排除できる見出しカード。」
　
第４　対比 
　本願発明と引用発明とを対比する。
１　引用発明の「『見出しカード』を『構成』する『縦長の長方形状であるシート』」、「数字」及び「『数字』が『印刷されて』いる『印刷領域２０Ａ』を含む『表示領域２０』」は、それぞれ、本願発明の「略矩形で縦長の基材」、「文字」及び「文字表示領域」に相当する。
　
２　引用発明において、見出しカードは、病院等の医療機関における患者のカルテを保管するフォルダーに備えられたポケットに挿入され、患者毎に割り当てられるカルテ番号を示すことで、カルテを必要とするときの検索を容易なものとするものであり、前記カルテ番号の下二桁を示す「文字（数字）」は、印刷されたものであるから、引用発明の「見出しカード」と本願発明の「見出しカード」とは、「カルテ等が収納されるフォルダーに装着されカルテ等の検索に必要な文字が印刷されてなる」ものである点で一致する。
　
３　引用発明において、見出しカードは、「略矩形で縦長の基材（縦長の長方形状であるシート）」を用いて構成され、該「基材」の片面は、罫線で区分された上下方向四桁の「文字表示領域（表示領域２０）」と、この「文字表示領域」の上部に位置する西暦表示領域２１とからなるから、引用発明の「見出しカード」と本願発明の「見出しカード」とは、「略矩形で縦長の基材の一方の表面に、長さ方向に沿って４段以上の文字表示領域を有」するものである点でも一致する。
　
４　引用発明の見出しカードは、患者毎に割り当てられるカルテ番号を示すことで、カルテを必要とするときの検索を容易なものとするものであって、「文字表示領域（表示領域２０）」の下二桁を印刷領域２０Ａとして、「文字（数字）」毎に色違いとなるインキを背景色として該「文字」が左右二列に印刷されているものであるから、引用発明の「見出しカード」と本願発明の「『少なくとも４つの各文字表示領域には、該文字表示領域の幅方向両端部の少なくとも一方にカルテ等の検索に必要な文字が印刷され、また該文字表示領域に印字された文字の情報に対応した着色部が印刷されてな』る『見出しカード』」とは、「少なくとも２つの各文字表示領域には、該文字表示領域の幅方向両端部の少なくとも一方にカルテ等の検索に必要な文字が印刷され、また該文字表示領域に印字された文字の情報に対応した着色部が印刷されてなる」ものである点でも一致するといえる。
　
５　引用発明において、「文字（数字）」及び背景色は、原紙に印刷されたものであるから、引用発明の「見出しカード」と本願発明の「基材が、インクジェットプリンター用合成紙であり、文字および着色部がインクジェットプリントにより形成されてなる見出しカード」とは、「基材が、紙であり、文字および着色部が印刷により形成されてなる」ものである点でも一致するといえる。
　
６　上記１ないし５から、本願発明と引用発明とは、
「カルテ等が収納されるフォルダーに装着されカルテ等の検索に必要な文字が印刷されてなる見出しカードであって、
略矩形で縦長の基材の一方の表面に、長さ方向に沿って４段以上の文字表示領域を有し、少なくとも２つの各文字表示領域には、該文字表示領域の幅方向両端部の少なくとも一方にカルテ等の検索に必要な文字が印刷され、また該文字表示領域に印字された文字の情報に対応した着色部が印刷されてなり、かつ
基材が、紙であり、文字および着色部が印刷により形成されてなる見出しカード。」
である点で一致し、次の点で相違する。
　
相違点１：
　前記文字が印刷される前記少なくとも２つの文字表示領域が、本願発明では、「少なくとも４つ」であるのに対して、引用発明では、表示領域２０の下二桁の２つである点。
　
相違点２：
　本願発明では、前記基材が「インクジェットプリンター用合成紙」であり、前記印刷が「インクジェットプリント」であるのに対して、引用発明では、前記基材が原紙であり、前記印刷が何であるのか明らかでない点。
　
第５　判断
　上記相違点１及び２について検討する。
１　相違点１について
　引用発明は、上下方向四桁の表示領域２０を有し、該表示領域２０の下二桁を印刷領域２０Ａとして、下二桁までの扱いに際しては、人為的な作業ミスを完全に排除できる見出しカードであるところ、引用例には、「表示領域の桁数も限定されるものではなく、本システムの導入対象となる病院の規模に応じて増加、減少させることができる」（第３の５【００２５】参照。）及び「下一桁のみの印刷とした場合には、受付患者数が増大したときに、同様の色を持つ一単位のフォルダー数が多くなりすぎる傾向となるため、実施する上では、下二桁を印刷領域２０Ａとして色を印刷することが好ましい」（第３の５【００２４】参照。）と記載されているから、引用発明において、大規模な病院に導入できるようにするとともに、受付患者数が増大したときに、同様の色を持つフォルダー数が多くなりすぎないようにするために、表示領域２０の桁数を四桁から五桁以上に増加させるとともに、該表示領域２０の下二桁に代えて少なくとも下四桁を印刷領域２０Ａとすることにより、少なくとも下四桁までの扱いに際しては、人為的な作業ミスを完全に排除できるようにし、かつ、同様の色を持つフォルダー数が多くなりすぎないようにすること、すなわち、上記相違点１に係る本願発明の構成となすことは、当業者が引用例に記載された事項に基づいて容易になし得た程度のことである。
　
２　相違点２について
　引用発明において、患者毎に割り当てられるカルテ番号を示す数字及び背景色を原紙に印刷する際、印刷手段として何を用いるかは、当業者が適宜決定すべき設計事項というべきところ、表面にインク受容層を有する記録媒体に、患者のＩＤ番号等をプリントするカラーインクジェットプリンタは、本願の出願前に周知である（以下「周知技術」という。例．特開２００２−１０３５９３号公報特に【００５４】、【００５５】、【００５７】及び【００８１】、特開２００４−１１４３８０号公報特に【００５４】、【００５５】、【００９０】及び【０１４６】参照。）から、引用発明において、原紙として、表面にインク受容層を有するものを用いるとともに、患者毎に割り当てられるカルテ番号を示す数字及び背景色の前記原紙への印刷を、カラーインクジェットプリンタを用いて行うようにすること、すなわち、上記相違点２に係る本願発明の構成となすことは、当業者が周知技術に基づいて適宜なし得た設計上のことである。
　
３　効果について
　本願発明の奏する効果は、当業者が、引用発明の奏する効果、引用例に記載された事項及び周知技術の奏する効果から予測することができた程度のものである。
　
４　まとめ
　したがって、本願発明は、当業者が、引用例に記載された発明、引用例に記載された事項及び周知技術に基づいて容易に発明をすることができたものである。
　
第６　むすび
　以上のとおり、本願発明は、当業者が、引用例に記載された発明、引用例に記載された事項及び周知技術に基づいて容易に発明をすることができたものであるから、特許法第２９条第２項の規定により特許を受けることができない。
　よって、結論のとおり審決する。